(57)【特許請求の範囲】
【請求項１】
基部と、
前記基部の一端側から立設される第１の収納部と、
前記基部の他端側から立設され、前記第１の収納部との間に配線が収納される収納空間を形成する第２の収納部と、
前記基部から立設され、前記配線が回転することを抑制する回転抑制部と、を備え、
前記第１の収納部と前記第２の収納部との間には、前記配線が挿入される配線挿入口が設けられており、前記配線挿入口は、少なくとも一部において、前記収納空間に収納される前記配線のガイド方向に対し傾斜した部位を有する
配線結束具。
【請求項２】
前記第１の収納部は、
第１の凹部と、
前記第１の凹部に連なり、前記第１の凹部よりも前記第２の収納部に向かって延びている第１の凸部と、を有し、
前記第２の収納部は、
前記第１の凸部に対向する第２の凹部と、
前記第２の凹部に連なり、前記第２の凹部よりも前記第１の収納部に向かって延びて前記第１の凹部に対向する第２の凸部と、を有し、
前記回転抑制部は、
前記第１の凸部よりも前記第１の凹部に近い位置、又は前記第２の凸部よりも前記第２の凹部に近い位置に設けられている
請求項１記載の配線結束具。
【請求項３】
前記第１の収納部は、
前記第２の収納部に向かって最も突出した第１の最突部と、
前記第１の最突部に連なり、前記第１の最突部よりも前記第２の収納部から離れる第１の離間部と、を有し、
前記第２の収納部は、
前記第１の収納部に向かって最も突出し、前記第１の離間部に対向する第２の最突部と、
前記第２の最突部に連なり、前記第２の最突部よりも前記第１の収納部から離れて前記第１の最突部に対向する第２の離間部と、を有し、
前記回転抑制部は、
前記第１の最突部よりも前記第１の離間部に近い位置、又は前記第２の最突部よりも前記第２の離間部に近い位置に設けられている
請求項１記載の配線結束具。
【請求項４】
請求項１〜３のいずれか１項に記載の配線結束具
を備える電気機器。
【発明の詳細な説明】
【技術分野】
【０００１】
本発明は、配線結束具及びその配線結束具を備える電気機器に関する。
【背景技術】
【０００２】
従来より、配線の動きを規制する配線結束具として、ワイヤーサドル又はクランパ等の固定部材が知られている（例えば、特許文献１参照）。特許文献１には、回路基板から延びるハーネス（配線）を結束して固定する結束バンドが開示されている。特許文献１は、この結束バンドを、器具本体内のパネル台に固定することによって、回路基板からハーネスが引っ張られて抜け落ちることを防止しようとするものである。
【先行技術文献】
【特許文献】
【０００３】
【特許文献１】特許第４７２５８４４号公報（第５頁）
【発明の概要】
【発明が解決しようとする課題】
【０００４】
しかしながら、特許文献１に開示された結束バンドにおいては、配線を固定するために結束バンドで縛るという行程が必要である。また、一旦配線を固定すると、その後、配線を取り外し難い。このように、従来技術は、作業性が悪い。
【０００５】
本発明は、上記のような課題を背景としてなされたもので、作業性が向上する配線結束具及びその配線結束具を備える電気機器を提供するものである。
【課題を解決するための手段】
【０００６】
本発明に係る配線結束具は、基部と、基部の一端側から立設される第１の収納部と、基部の他端側から立設され、第１の収納部との間に配線が収納される収納空間を形成する第２の収納部と、基部から立設され、配線が回転することを抑制する回転抑制部と、を備え、第１の収納部と第２の収納部との間には、配線が挿入される配線挿入口が設けられており、配線挿入口は、少なくとも一部において、収納空間に収納される配線のガイド方向に対し傾斜した部位を有する。
【発明の効果】
【０００７】
本発明によれば、配線挿入口は、少なくとも一部において、収納空間に収納される配線のガイド方向に対し傾斜した部位を有するため、配線が抜け難い。また、配線は、配線挿入口に挿入されるだけで、収納空間に収納されるため、配線の動きを容易に規制することができる。更に、配線の動きを規制した後に配線を取り外そうとする際に、配線を取り外し易い。このように、配線結束具は、作業性が高い。
【図面の簡単な説明】
【０００８】
【図１】本発明の実施の形態１に係る配線結束具１を示す斜視図である。
【図２】本発明の実施の形態１に係る配線結束具１を示す上面図である。
【図３】本発明の実施の形態１に係る配線結束具１の寸法を示す上面図である。
【図４】比較例１における配線結束具１００を示す斜視図である。
【図５】本発明の実施の形態２に係る配線結束具２００を示す斜視図である。
【図６】本発明の実施の形態２に係る配線結束具２００を示す上面図である。
【図７】本発明の実施の形態２に係る配線結束具２００を示す正面断面図である。
【図８】本発明の実施の形態３に係る配線結束具３００を示す斜視図である。
【図９】本発明の実施の形態３に係る配線結束具３００を示す上面図である。
【図１０】本発明の実施の形態４に係る配線結束具４００を示す斜視図である。
【図１１】本発明の実施の形態４に係る配線結束具４００を示す上面図である。
【図１２】本発明の実施の形態５に係る配線結束具５００を示す斜視図である。
【図１３】本発明の実施の形態５に係る配線結束具５００を示す上面図である。
【図１４】本発明の実施の形態６に係る配線結束具６００を示す斜視図である。
【図１５】本発明の実施の形態６に係る配線結束具６００を示す上面図である。
【図１６】本発明の実施の形態７に係る配線結束具７００を示す斜視図である。
【図１７】本発明の実施の形態７に係る配線結束具７００を示す上面図である。
【図１８】本発明の実施の形態７に係る配線結束具７００の作用を示す上面図である。
【図１９】本発明の実施の形態８に係る配線結束具８００を示す斜視図である。
【図２０】本発明の実施の形態８に係る配線結束具８００を示す上面図である。
【図２１】本発明の他の実施の形態に係る配線結束具９００を示す上面図である。
【発明を実施するための形態】
【０００９】
以下、本発明に係る配線結束具及び電気機器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、本発明の実施の形態１に係る配線結束具１を示す斜視図である。この図１に基づいて、配線結束具１について説明する。配線結束具１は、内部に配線７が挿入され配線７の動きを規制するものであり、例えば樹脂からなる。図１に示すように、配線結束具１は、基部２と収納部１０とを有している。また、収納部１０は、側部３と突出部４とを有している。なお、これらの基部２、側部３及び突出部４は、一体的に形成されてもよい。基部２は、電気機器等に設けられるものであり、例えば矩形状の平板部材である。
【００１１】
側部３は、基部２の幅方向（矢印Ｘ方向）の両端部に設けられたものであり、基部２の一端側から立設される第１の側部３ａと、基部２の他端側から立設される第２の側部３ｂとを有している。第１の側部３ａは、例えば角柱状の部材であり、両端部には基部２の幅方向（矢印Ｘ方向）に延びる足部３ｃが設けられている。この足部３ｃによって、第１の側部３ａが支持されている。また、第２の側部３ｂは、例えば角柱状の部材であり、両端部には基部２の幅方向（矢印Ｘ方向）に延びる足部３ｃが設けられている。この足部３ｃによって、第２の側部３ｂが支持されている。
【００１２】
図２は、本発明の実施の形態１に係る配線結束具１を示す上面図である。第１の側部３ａと第２の側部３ｂとの間には、配線７が収納される収納空間５が形成されており、図２に示すように、配線結束具１に挿入された配線７は、収納空間５に収納される。なお、本実施の形態１は、配線７のガイド方向が、基部２の幅方向に垂直の方向（矢印Ｙ方向）である。
【００１３】
突出部４は、側部３の上端部に設けられたものであり、第１の側部３ａから第２の側部３ｂに向かって突出する第１の突出部２０と、第２の側部３ｂから第１の側部３ａに向かって突出する第２の突出部３０とを有している。第１の突出部２０は、突出する先端部が、傾斜した台形状をなしており、第２の側部３ｂに向かって最も突出した第１の最突部２１は、面取り加工されている。これにより、第１の最突部２１の尖頭による作業性の悪化が抑制される。また、第１の突出部２０の上面２０ａは、第２の側部３ｂに向かうに従って基部２に近づくように形成された勾配がついている。
【００１４】
第２の突出部３０は、突出する先端部が、第１の突出部２０の先端部に対向するように、傾斜した台形状をなしており、第１の側部３ａに向かって最も突出した第２の最突部３１は、面取り加工されている。これにより、第２の最突部３１の尖頭による作業性の悪化が抑制される。なお、第１の最突部２１と第２の最突部３１とは、対角に位置している。また、第２の突出部３０の上面３０ａは、第１の側部３ａに向かうに従って基部２に近づくように形成された勾配がついている。
【００１５】
第１の突出部２０と第２の突出部３０との間には、配線７が挿入される配線挿入口６が形成されている。配線挿入口６は、図２に示すように、少なくとも一部において、収納空間５に収納される配線７のガイド方向（矢印Ｙ方向）に対し傾斜した部位を有している。この配線挿入口６は、例えば、上面視において、直線状且つ傾斜状をなしている。本実施の形態１は、前述の如く、第１の突出部２０の先端部及び第２の突出部３０の先端部が、傾斜した台形状をなして対向している。従って、配線挿入口６は、ガイド方向に対し平行の方向（矢印Ｙ方向）から傾斜している。なお、前述の如く、第１の突出部２０の上面２０ａ及び第２の突出部３０の上面３０ａは、勾配がついているため、配線７は、第１の突出部２０の上面２０ａ又は第２の突出部３０の上面３０ａを滑りながら、なめらかに配線挿入口６に挿入されることができる。なお、収納部１０は、第１の収納部１０ａと第２の収納部１０ｂとからなり、第１の収納部１０ａは、第１の側部３ａと第１の突出部２０とを有し、第２の収納部１０ｂは、第２の側部３ｂと第２の突出部３０とを有する。この第１の収納部１０ａ及び第２の収納部１０ｂは、アーチ状をなしていてもよい。
【００１６】
次に、配線結束具１の寸法について説明する。図３は、本発明の実施の形態１に係る配線結束具１の寸法を示す上面図である。図３に示すように、配線挿入口６の挿入幅Ｗ１は、配線７の直径Ｄ以上である。配線７が、複数からなる配線群であり、夫々複数の直径Ｄを有する場合、配線挿入口６の挿入幅Ｗ１は、配線群のなかで最も直径Ｄが大きい配線７の直径Ｄ以上である。これにより、配線７は、配線挿入口６に容易に挿入されることができる。
【００１７】
本実施の形態１は、第１の最突部２１と第２の最突部３１とを結ぶ最突線分Ｃが、配線挿入口６上を通っており、第１の突出部２０又は第２の突出部３０上を通っていない。この場合、第１の最突部２１を通りガイド方向に対し平行の方向の第１の線分Ｃ１と、第２の最突部３１を通りガイド方向に対し平行の方向の第２の線分Ｃ２との線分幅Ｗ２は、配線７の直径Ｄよりも小さい。配線７が、複数からなる配線群であり、夫々複数の直径Ｄを有する場合、線分幅Ｗ２は、配線群のなかで最も直径Ｄが小さい配線７の直径Ｄよりも小さい。最突線分Ｃが配線挿入口６上を通っている場合、線分幅Ｗ２が配線７の直径Ｄ以上であると、収納空間５に収納された配線７が、曲げることなくそのまま配線挿入口６から抜けてしまう。本実施の形態１は、線分幅Ｗ２が配線７の直径Ｄよりも小さいため、収納空間５に収納された配線７が、そのまま配線挿入口６から抜け難い。
【００１８】
次に、本実施の形態１に係る配線結束具１の作用について説明する。配線結束具１は、配線挿入口６が、少なくとも一部において、収納空間５に収納される配線７のガイド方向（矢印Ｙ方向）に対し傾斜した部位を有する。このため、収納空間５に収納された配線７は、外力による曲げを伴わない限り、そのまま配線挿入口６から抜けずに済む。なお、配線７の挿入時においては、配線７が、外力によって配線挿入口６に平行になるように曲げられれば、配線挿入口６に容易に挿入されることができる。
【００１９】
また、配線結束具１は、配線７を固定せずに収納するだけで、配線７の動きを規制するものである。このため、配線７の動きが規制された後でも、配線７が、外力によって配線挿入口６に平行になるように曲げられれば、配線挿入口６から容易に取り外されることができる。このように、配線結束具１は、作業性が高い。更に、配線結束具１が、一体的に形成されている場合、部品点数を削減することができる。
【００２０】
次に、比較例１における配線結束具１００について説明する。図４は、比較例１における配線結束具１００を示す斜視図である。比較例１は、配線挿入口６の形状が、実施の形態１と相違する。図４に示すように、比較例１における配線挿入口６は、収納空間５に収納される配線７のガイド方向に対し平行の方向（矢印Ｙ方向）に設けられている。
【００２１】
比較例１における配線結束具１００は、配線挿入口６が、収納空間５に収納される配線７のガイド方向に対し平行の方向（矢印Ｙ方向）に設けられているため、収納空間５に収納された配線７は、外力による曲げを伴わずに、そのまま配線挿入口６から抜けてしまう。これでは、配線７の動きを規制しようとして、一旦、配線７が収納されても、容易に配線７が配線結束具１００から抜けてしまうため、作業性が悪化する。
【００２２】
実施の形態２．
次に、実施の形態２に係る配線結束具２００について説明する。図５は、本発明の実施の形態２に係る配線結束具２００を示す斜視図、図６は、本発明の実施の形態２に係る配線結束具２００を示す上面図である。本実施の形態２は、配線挿入口６の形状が、実施の形態１と相違する。本実施の形態２では、実施の形態１と共通する部分は同一の符号を付して説明を省略し、実施の形態１との相違点を中心に説明する。
【００２３】
図５、図６に示すように、本実施の形態２は、第１の最突部２１と第２の最突部３１とを結ぶ最突線分Ｃが、第１の突出部２０及び第２の突出部３０上を通っている。この場合、第１の線分Ｃ１と第２の線分Ｃ２との線分幅Ｗ２は、零以上である。即ち、線分幅Ｗ２は、いずれの値をとってもよい。これは、最突線分Ｃが、第１の突出部２０又は第２の突出部３０上を通っていれば、収納空間５に収納された配線７が、曲げることなくそのまま配線挿入口６から抜けることは極めて稀であることによる。
【００２４】
図７は、本発明の実施の形態２に係る配線結束具２００を示す正面断面図であり、図６のＡ−Ａ断面図である。図７に示すように、配線結束具２００は、第１の突出部２０の下面２０ｂが、第２の側部３ｂに向かうに従って基部２に近づくように形成され、上に凸の円弧状をなしている。また、第２の突出部３０の下面３０ｂも、第１の側部３ａに向かうに従って基部２に近づくように形成され、上に凸の円弧状をなしている。これにより、配線７が、配線挿入口６から抜けそうになっても、配線挿入口６から逸れて、第１の突出部２０の下面２０ｂ又は第２の突出部３０の下面３０ｂを滑って行き易い。このため、配線７は更に抜け難い。
【００２５】
実施の形態３．
次に、実施の形態３に係る配線結束具３００について説明する。図８は、本発明の実施の形態３に係る配線結束具３００を示す斜視図、図９は、本発明の実施の形態３に係る配線結束具３００を示す上面図である。本実施の形態３は、配線挿入口６の形状が、実施の形態１と相違する。本実施の形態３では、実施の形態１と共通する部分は同一の符号を付して説明を省略し、実施の形態１との相違点を中心に説明する。
【００２６】
図８、図９に示すように、本実施の形態３は、第１の突出部２０が、第１の凹部２２と第１の凸部２３とを有している。第１の凹部２２は、実施の形態１における第１の最突部２１と同様に、面取り加工されている。また、第１の凸部２３は、実施の形態１における第１の最突部２１に相当する部分であり、第１の凹部２２に連なり、第１の凹部２２よりも第２の側部３ｂに向かって延びている。
【００２７】
また、第２の突出部３０は、第２の凹部３２と第２の凸部３３とを有している。第２の凹部３２は、第１の突出部２０における第１の凸部２３に対向しており、面取り加工されている。また、第２の凸部３３は、実施の形態１における第２の最突部３１に相当する部分であり、第２の凹部３２に連なり、第２の凹部３２よりも第１の側部３ａに向かって延びて、第１の凹部２２に対向している。
【００２８】
以上のとおり、第１の突出部２０における第１の凹部２２及び第１の凸部２３、第２の突出部３０における第２の凹部３２及び第２の凸部３３は、いずれも面取り加工されている。このため、第１の突出部２０と第２の突出部３０との間に形成された配線挿入口６には、尖頭がない。このため、配線７が配線挿入口６から挿入されるときに、尖頭に引っ掛かることなく、滑らかに挿入されることができる。
【００２９】
実施の形態４．
次に、実施の形態４に係る配線結束具４００について説明する。図１０は、本発明の実施の形態４に係る配線結束具４００を示す斜視図、図１１は、本発明の実施の形態４に係る配線結束具４００を示す上面図である。本実施の形態４は、配線挿入口６の形状が、実施の形態３と相違する。本実施の形態４では、実施の形態１、３と共通する部分は同一の符号を付して説明を省略し、実施の形態１、３との相違点を中心に説明する。
【００３０】
図１０、図１１に示すように、本実施の形態４は、第１の突出部２０が、第１の凹部２２から第１の凸部２３に向けて曲面状をなしている。また、第２の突出部３０も、第１の突出部２０に対向するように、第２の凹部３２から第２の凸部３３に向けて曲面状をなしている。これにより、配線挿入口６は、上面視において、曲線状をなしている。実施の形態１、３では、配線挿入口６が上面視において直線状且つ傾斜状をなしているが、本実施の形態４のように、曲線状をなしていても、実施の形態１、３と同様の効果を奏する。
【００３１】
実施の形態５．
次に、実施の形態５に係る配線結束具５００について説明する。図１２は、本発明の実施の形態５に係る配線結束具５００を示す斜視図、図１３は、本発明の実施の形態５に係る配線結束具５００を示す上面図である。本実施の形態５は、配線挿入口６の形状が、実施の形態１と相違する。本実施の形態５では、実施の形態１と共通する部分は同一の符号を付して説明を省略し、実施の形態１との相違点を中心に説明する。
【００３２】
図１２、図１３に示すように、本実施の形態５は、第１の突出部２０が、第１の凹部２２ａと第１の凹部２２ｂと第１の凸部２３とを有している。第１の凹部２２ａ及び第１の凹部２２ｂは、第１の突出部２０の両端部に設けられており、第１の凸部２３は、第１の凹部２２ａと第１の凹部２２ｂとの間に設けられ、第１の凹部２２ａ及び第１の凹部２２ｂよりも第２の側部３ｂに向かって延びている。
【００３３】
また、第２の突出部３０は、第２の凹部３２と第２の凸部３３ａと第２の凸部３３ｂとを有している。第２の凸部３３ａ及び第２の凸部３３ｂは、第２の突出部３０の両端部に設けられており、夫々第１の凹部２２ａ及び第１の凹部２２ｂに対向している。また、第２の凹部３２は、第２の凸部３３ａと第２の凸部３３ｂとの間に設けられている。なお、第２の凸部３３ａ及び第２の凸部３３ｂは、第２の凹部３２よりも第１の側部３ａに向かって延びている。これにより、配線挿入口６は、上面視において、半円状の波状をなしている。実施の形態１では、配線挿入口６が上面視において直線状且つ傾斜状をなしているが、本実施の形態５のように、半円状をなしていても、実施の形態１と同様の効果を奏する。
【００３４】
実施の形態６．
次に、実施の形態６に係る配線結束具６００について説明する。図１４は、本発明の実施の形態６に係る配線結束具６００を示す斜視図、図１５は、本発明の実施の形態６に係る配線結束具６００を示す上面図である。本実施の形態６は、配線挿入口６の形状が、実施の形態１と相違する。本実施の形態６では、実施の形態１と共通する部分は同一の符号を付して説明を省略し、実施の形態１との相違点を中心に説明する。
【００３５】
図１４、図１５に示すように、本実施の形態６は、第１の突出部２０が、第１の凹部２２ａと第１の凹部２２ｂと第１の凸部２３とを有している。第１の凹部２２ａ及び第１の凹部２２ｂは、第１の突出部２０の両端部に設けられており、第１の凸部２３は、第１の凹部２２ａと第１の凹部２２ｂとの間に設けられ、第１の凹部２２ａ及び第１の凹部２２ｂよりも第２の側部３ｂに向かって延びている。なお、第１の凹部２２ａの両端部及び第１の凹部２２ｂの両端部における尖頭は、フィレット加工されている。ここで、フィレッと加工とは、尖った角を丸める加工をいう。
【００３６】
また、第２の突出部３０は、第２の凹部３２と第２の凸部３３ａと第２の凸部３３ｂとを有している。第２の凸部３３ａ及び第２の凸部３３ｂは、第２の突出部３０の両端部に設けられており、夫々第１の凹部２２ａ及び第１の凹部２２ｂに対向している。また、第２の凹部３２は、第２の凸部３３ａと第２の凸部３３ｂとの間に設けられている。なお、第２の凸部３３ａ及び第２の凸部３３ｂは、第２の凹部３２よりも第１の側部３ａに向かって延びている。また、第２の凸部３３ａの両端部及び第２の凸部３３ｂの両端部における尖頭は、フィレット加工されている。これにより、配線挿入口６は、上面視において、波状をなしている。実施の形態１では、配線挿入口６が上面視において直線状且つ傾斜状をなしているが、本実施の形態６のように、波状をなしていても、実施の形態１と同様の効果を奏する。
【００３７】
実施の形態７．
次に、実施の形態７に係る配線結束具７００について説明する。図１６は、本発明の実施の形態７に係る配線結束具７００を示す斜視図、図１７は、本発明の実施の形態７に係る配線結束具７００を示す上面図である。本実施の形態７は、回転抑制部８が設けられている点で、実施の形態１と相違する。本実施の形態７では、実施の形態１と共通する部分は同一の符号を付して説明を省略し、実施の形態１との相違点を中心に説明する。
【００３８】
図１６、図１７に示すように、本実施の形態７は、基部２から立設され、配線７が回転することを抑制する回転抑制部８を有している。回転抑制部８は、例えば２個設けられており、例えば円柱状をなしている。本実施の形態７において、第１の収納部１０ａは、第２の収納部１０ｂに向かって最も突出した第１の最突部２４と、第１の最突部２４に連なり、第１の最突部２４よりも第２の収納部１０ｂから離れる第１の離間部２５と、を有し、第２の収納部１０ｂは、第１の収納部１０ａに向かって最も突出し、第１の離間部２５に対向する第２の最突部３４と、第２の最突部３４に連なり、第２の最突部３４よりも第１の収納部１０ａから離れて第１の最突部２４に対向する第２の離間部３５と、を有する。第１の回転抑制部８ａは、第１の最突部２４よりも第１の離間部２５に近い位置に設けられており、第２の回転抑制部８ｂは、第２の最突部３４よりも第２の離間部３５に近い位置に設けられている。
【００３９】
次に、本実施の形態７に係る配線結束具７００の作用について説明する。図１８は、本発明の実施の形態７に係る配線結束具７００の作用を示す上面図である。図１８に示すように、収納空間５に収納された配線７は、第１の回転抑制部８ａ及び第２の回転抑制部８ｂによって、直線状の配線挿入口６に平行の方向に向かって回転しようとすることが抑制される。従って、配線７は更に抜け難い。なお、回転抑制部８は、１個設けられていてもよいし、３個以上設けられていてもよい。また、回転抑制部８は、実施の形態３、４に適用することもできる。この場合、第１の回転抑制部８ａは、第１の凸部２３よりも第１の凹部２２に近い位置に設けられており、第２の回転抑制部８ｂは、第２の凸部３３よりも第２の凹部３２に近い位置に設けられている。
【００４０】
実施の形態８．
次に、実施の形態８に係る配線結束具８００について説明する。図１９は、本発明の実施の形態８に係る配線結束具８００を示す斜視図、図２０は、本発明の実施の形態８に係る配線結束具８００を示す上面図である。本実施の形態８は、回転抑制部９の形状が、実施の形態７と相違する。本実施の形態８では、実施の形態１、７と共通する部分は同一の符号を付して説明を省略し、実施の形態１、７との相違点を中心に説明する。
【００４１】
図１９、図２０に示すように、本実施の形態８は、回転抑制部９が四角柱状をなしており、第１の回転抑制部９ａと第２の回転抑制部９ｂとが設けられている。このように、回転抑制部９は、四角柱状をなしていても、実施の形態７と同様の効果を奏する。なお、回転抑制部９は、実施の形態３、４に適用することもできる。この場合、第１の回転抑制部９ａは、第１の凸部２３よりも第１の凹部２２に近い位置に設けられており、第２の回転抑制部９ｂは、第２の凸部３３よりも第２の凹部３２に近い位置に設けられている。
【００４２】
実施の形態９．
次に、実施の形態９に係る電気機器について説明する。実施の形態９に係る電気機器は、実施の形態１〜８のいずれかに係る配線結束具を有している。このため、電気機器において、配線７が邪魔になっても、配線結束具を用いて、配線７の動きを規制することによって、電気機器の作業性が向上する。なお、電気機器は、例えば加熱調理器とすることができる。
【００４３】
なお、配線７のガイド方向は、基部２の幅方向に垂直の方向（矢印Ｙ方向）に限定されない。図２１は、本発明の他の実施の形態に係る配線結束具９００を示す上面図である。配線７のガイド方向は、例えば、図２１に示すように、基部２の幅方向に対し垂直の方向（矢印Ｙ方向）から傾斜していてもよい。
【符号の説明】
【００４４】
１  配線結束具、２  基部、３  側部、３ａ  第１の側部、３ｂ  第２の側部、３ｃ  足部、４  突出部、５  収納空間、６  配線挿入口、７  配線、８  回転抑制部、８ａ  第１の回転抑制部、８ｂ  第２の回転抑制部、９  回転抑制部、９ａ  第１の回転抑制部、９ｂ  第２の回転抑制部、１０  収納部、１０ａ  第１の収納部、１０ｂ  第２の収納部、２０  第１の突出部、２０ａ  上面、２０ｂ  下面、２１  第１の最突部、２２、２２ａ、２２ｂ  第１の凹部、２３  第１の凸部、２４  第１の最突部、２５  第１の離間部、３０  第２の突出部、３０ａ  上面、３０ｂ  下面、３１  第２の最突部、３２  第２の凹部、３３、３３ａ、３３ｂ  第２の凸部、３４  第２の最突部、３５  第２の離間部、１００、２００、３００、４００、５００、６００、７００、８００、９００  配線結束具。
【図１】
0006370155.tif 000002
【図２】
0006370155.tif 000003
【図３】
0006370155.tif 000004
【図４】
0006370155.tif 000005
【図５】
0006370155.tif 000006
【図６】
0006370155.tif 000007
【図７】
0006370155.tif 000008
【図８】
0006370155.tif 000009
【図９】
0006370155.tif 000010
【図１０】
0006370155.tif 000011
【図１１】
0006370155.tif 000012
【図１２】
0006370155.tif 000013
【図１３】
0006370155.tif 000014
【図１４】
0006370155.tif 000015
【図１５】
0006370155.tif 000016
【図１６】
0006370155.tif 000017
【図１７】
0006370155.tif 000018
【図１８】
0006370155.tif 000019
【図１９】
0006370155.tif 000020
【図２０】
0006370155.tif 000021
【図２１】
0006370155.tif 000022